(57)【要約】      （修正有）【課題】ハンドキャリアー、乳母車などを坂道やでこぼこ道で、その走行が容易かつ安全になるようにする。【解決手段】本装置は、電動モーターなどからなる牽引歩行の補助機器であって、高齢者が買い物をキャリアーに積み上り坂をのぼる時には牽引が容易になり（平坦な道と同じぐらいになる）、また下り坂ではモーターをONにすればエンジンブレーキがかかり安全に歩行できる。これは乳母車にも応用が可能で、手軽な福祉機器で応用範囲は広い。その特徴はどのキャリアーにも着脱が簡単にでき、しかも充電式であってどこのコンセントでも充電が可能である点である。【選択図】図３
2008037271.tif 000002
【特許請求の範囲】
【請求項１】
ハンドキャリアー（乳母車とうを含む）の走行を補助する電動装置（充電可能なバッテリーとモーター）で着脱可能な装置
【請求項２】
動力伝達はテーパー・ギアーを介して行われ速度を制御する
【発明の詳細な説明】
【技術分野】
【０００１】
運搬機付属動力に関するものである。
【背景技術】
【０００２】
上記の諸種手押し（または牽引）運搬機は荷重のため上り坂を登る時にかなりのエネルギーを要し、また下り坂での制御が容易ではない（でこぼこ面でも同様）。
【０００３】
同種・類似の特許は次のものがあるが、いずれも本発明とは異なり、特に着脱可能な装置としての特許は存在しない。
a)      ソーラー充電・傾斜センサー付き４輪歩行補助車  特開平１１−２６７１６２
b)      電動機を備えた歩行補助車（着座式）  特開平７−８７６２１
c)      駆動輪を備えた４輪歩行補助車（座椅子式）  特開２００５−１３７４６７
d)      バッテリーを動力とした三輪歩行補助車  特開平６−２６１９２５
e)      電動式三輪車（自走車）  特開２００３−２０５００４
f)      電動一輪車  特開２００３−３１２４７９
g)      （応用できる技術）台車ブレーキ構造の簡素化  特開２００６−１１１１１８
【発明の開示】
【発明が解決しようとする課題】
【０００４】
手押し（または牽引）運搬機のもつ上記の難点を解決するため、着脱可能な装置である。  
【課題を解決するための手段】
【０００５】
手押し（または牽引）運搬機の車軸にモーターを連結しバッテリーを動力として、車の回転を行い上り坂運搬時の人力の負荷を軽減する。
【０００６】
同様に下り坂・でこぼこ面での運搬の時にはエンジンブレーキが作用し平易に作動かつ安全性が得られる。
【０００７】
バッテリーの充電は家庭電力でおこなえるほか、下り坂を降りるときの車軸回転でも充電が補える。
【発明の効果】
【０００８】
上記のとおり、買い物時のハンドキャリアー・乳母車・等の省力化と安全性の効果は大きく、後付可能であるので既存の各種のキャリアーに装着可能であって、経済的効果は高い。
【図面の簡単な説明】
【０００９】
【図１】は通常のハンドキャリアーに装着する部位をしめしたもの。
【図２】はバッテリー・モーターと車軸への動力伝達機構（クリッパー・テーパーギアー）を示したものである。
【図３】はハンドキャリアーに動力伝達機構（筐体に収めたもの）を取付けたものである。
【符号の説明】
【００１０】
１  操作ボタン
２  車輪
３  装置取付け部処
４  動力ギアー
５  モーター
６  バッテリー
７  動力ギアーのシフト範囲
８  テーパー・ギアー
９  装着した装置
【図１】
2008037271.tif 000003
【図２】
2008037271.tif 000004
【図３】
2008037271.tif 000005
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
車椅子やハンドキャリアー（乳母車とうを含む）の走行を補助する装置（バッテリーまたは発条バネ・モーター・ギヤーボックス・プーリーなどで構成）で、着脱が容易な装置
【請求項２】
車椅子・ハンドキャリアーなどの走行を補助する発条式バネをを用い、動力をテーパー・ギアー又は各種トランスミッション等で伝達速度を制御する簡易な付属装置
【手続補正２】
【補正対象書類名】明細書
【補正対象項目名】全文
【補正方法】変更
【補正の内容】
【発明の詳細な説明】
【技術分野】
【０００１】
運搬機付属動力に関するものである。
【背景技術】
【０００２】
上記の手動運搬機は荷重のため上り坂を登る時にかなりの腕力を要し、また下り坂での制御が容易ではない（でこぼこ面でも同様）
【０００３】
同種・類似の特許は次のものがあるが、いずれも本発明とは異なり、構造が複雑／高重量・高価・着脱が困難・耐久性安定性が未解明など難点がみうけられ、実用化していない。
特開  平０６−０８６７９０    車椅子のための取付及び脱着によって電動化車椅子ともできる機構
特開  平０７−１９４６５６    電動車椅子の駆動ユニット着脱構造
特開  平０７−１９４６５５    電動車椅子の駆動ユニット着脱構造
特開  平０７−１９４６５４    電動車椅子の駆動ユニット着脱構造
特開  平０７−１９４６５３    電動車椅子の駆動ユニット着脱構造
特開  平０７−１７８１３４    電動式車椅子
特開  平０７−０５１３１７    電動式車椅子
特開  平０７−１９４６５７    身障者用の車椅子
特開  ２０００−３３４００１  電動式車椅子
特開  ２０００−３２５４０３  電動式車椅子
特開  ２０００−３０８６５８  電動式車椅子
特開  ２０００−３００６１９  電動式車椅子
特開  ２０００−１３５２５４  電動式車椅子および車輪電動ユニット
特開  平１０−２５８０８７    電動式車椅子
特開  平１０−０８５２６９    電動式車椅子
特開  平１０−３０８６５１    電動式車椅子
特開  平１０−２５８０８７    電動式車椅子
特開  平０８−２９４５１７    電動式車椅子
特開  平０８−２９４５１６    電動式車椅子
特開   平0７−８７６２１           
電動機を備えた歩行補助車（着座式）  
特開   平０６−２６１９２５              バッテリーを動力とした三輪歩行補助車  
【発明の開示】
【発明が解決しようとする課題】
【０００４】
手動運搬機のもつ上記の難点（背景技術）を解決するための着脱可能な装置である。  
【課題を解決するための手段】
【０００５】
手動運搬機の車輪/車軸にモーターを連結しバッテリー（又は発条バネ）を動力として、車の回転を行い上り坂で運搬時の人力の負荷を軽減する
【０００６】
同様に下り坂・でこぼこ面での運搬の時にはエンジンブレーキが作用し平易に作動かつ安全性が得られる
【０００７】
バッテリーは乾電池（充電は家庭電力で行える）を用いる
【発明の効果】
【０００８】
上記のとおり、買い物時のハンドキャリアーの省力化と安全性の効果は大きく、後付可能であるので既存の各種のキャリアーに装着可能であって、経済的効果は高い
【図面の簡単な説明】
【０００９】
【図１】は通常のハンドキャリアーに装着した概念図である
【符号の説明】
【００１０】
１  キャリアー本体
２  前・後進スイッチ
３  取付具
４  コード
５  車輪回転軸
６  プーリー
７  モーター・ギヤーボックス    ８  テーパー・ギアー
９  装着した装置
【手続補正３】
【補正対象書類名】図面
【補正対象項目名】全図
【補正方法】変更
【補正の内容】
【図１】
2008037271.tif 000006
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
車椅子やハンドキャリアー（乳母車とうを含む）の走行を補助するため、バッテリー→ギヤードモーター→クラッチ→プーリーで車輪に動力を伝達し且つ着脱が容易な装置
【請求項２】
車椅子・ハンドキャリアーなどの走行を補助する発条式バネを用い、動力をギアー又は各種トランスミッション等で伝達速度を制御する簡易な付属装置
【手続補正２】
【補正対象書類名】明細書
【補正対象項目名】全文
【補正方法】変更
【補正の内容】
【発明の詳細な説明】
【技術分野】
【０００１】
運搬機付属動力に関するものである。
【背景技術】
【０００２】
上記の手動運搬機は荷重のため上り坂を登る時にかなりの腕力を要し、また下り坂での制
御が容易ではない（でこぼこ面でも同様）
【０００３】
同種・類似の特許は次のものがあるが、いずれも本発明とは異なり、構造が複雑／高重量
・高価・着脱が困難・耐久性安定性が未解明など難点がみうけられ、実用化していない。
特開  平０６−０８６７９０    車椅子のための取付及び脱着によって電動化車椅子と
もできる機構
特開  平０７−１９４６５６    電動車椅子の駆動ユニット着脱構造
特開  平０７−１９４６５５    電動車椅子の駆動ユニット着脱構造
特開  平０７−１９４６５４    電動車椅子の駆動ユニット着脱構造
特開  平０７−１９４６５３    電動車椅子の駆動ユニット着脱構造
特開  平０７−１７８１３４    電動式車椅子
特開  平０７−０５１３１７    電動式車椅子
特開  平０７−１９４６５７    身障者用の車椅子
特開  ２０００−３３４００１  電動式車椅子
特開  ２０００−３２５４０３  電動式車椅子
特開  ２０００−３０８６５８  電動式車椅子
特開  ２０００−３００６１９  電動式車椅子
特開  ２０００−１３５２５４  電動式車椅子および車輪電動ユニット
特開  平１０−２５８０８７    電動式車椅子
特開  平１０−０８５２６９    電動式車椅子
特開  平１０−３０８６５１    電動式車椅子
特開  平１０−２５８０８７    電動式車椅子
特開  平０８−２９４５１７    電動式車椅子
特開  平０８−２９４５１６    電動式車椅子
特開   平0７−８７６２１     電動機を備えた歩行補助車（着座式）  
特開  
平０６−２６１９２５    バッテリーを動力とした三輪歩行補助車  
【発明の開示】
【発明が解決しようとする課題】
【０００４】
手動運搬機のもつ上記の難点（背景技術）を解決するための着脱可能な装置である。  
【課題を解決するための手段】
【０００５】
手動運搬機の車輪/車軸にバッテリー（又は発条バネ）を動力としてモーター駆動を伝達し、車輪の回転を行い上り坂で運搬時の人力の負荷を軽減する
【０００６】
同様に下り坂・でこぼこ面での運搬の時にはエンジンブレーキが作用し平易に作動かつ
安全性が得られる
【０００７】
バッテリーは蓄電池（充電は家庭電力で行える）を用いる
【発明の効果】
【０００８】
上記のとおり、買い物時のハンドキャリアーの省力化と安全性の効果は大きく、後付可能
であるので既存の各種のキャリアーに装着可能であって、経済的効果は高い
【図面の簡単な説明】
【０００９】
【図１】は車椅子に装着した概念図である
【図２】は通常のハンドキャリアーに装着した概念図である、
【符号の説明】
【００１０】
１ギヤードモーター
２バッテリー
３クラッチ
４プーリー
５プーリー
６プーリーベルト
７車軸
８車輪
９フレーム
１０フレームに取り付けるボルト・ナット・ワッシャー・スプリングワッシャー類
１１キャリアームーバー
１１−１ワームギヤードモーター・ボックス
１１−２バッテリー
１１−３クラッチ＋前後進スイッチ
１１−４電線
１１−５車輪
【手続補正３】
【補正対象書類名】図面
【補正対象項目名】全図
【補正方法】変更
【補正の内容】
【図１】
2008037271.tif 000007
【図２】
2008037271.tif 000008